(57)【要約】【課題】  Ｌ２ＳＷの上位に１つの管理部で、複数のＯＮＵを一括して管理して、各ＯＮＵの帯域を割り当てる場合、例えばＶｏＩＰのような高優先で送信する必要のある高優先データを送信するためには、上位の管理部が各ＯＮＵの帯域の割り当てを行う周期を短くして、ＶｏＩＰのデータに割り当てる帯域の頻度を多くする必要がる。そのため、ＯＮＵの数が数百〜数千台となる場合には、処理が間に合わずに、データの送信に遅延が生じて、ＶｏＩＰの品質が低下するという問題があった。【解決手段】  集線手段が、第１の帯域更新周期で局側インタフェース機能手段の帯域の割り当てを行い、局側インタフェース機能手段が、配下の光回線加入者側装置の帯域の割り当てを、高優先データが低遅延で送信できる第２の帯域更新周期で行うので、光回線加入者側装置が数百〜数千台であっても、高優先データを低遅延で送信して、高優先データの通信の品質を向上することができる。【選択図】        図１
2014241478.tif 000002
【特許請求の範囲】
【請求項１】
複数の光回線加入者側装置との回線を終端する局側インタフェース機能手段と、複数の前記局側インタフェース機能手段が接続された１つの集線手段とを備え、
前記集線手段は、前記局側インタフェース機能手段の帯域の割り当てを、第１の帯域更新周期で行い、
前記局側インタフェース機能手段は、配下の前記光回線加入者側装置の帯域の割り当てを、前記光回線加入者側装置から遅延なく送信する必要のある高優先データが低遅延で送信できる第２の帯域更新周期で行うことを特徴とする通信装置。
【請求項２】
前記第１の更新周期は、前記第２の帯域更新周期よりも長いことを特徴とする請求項１記載の通信装置。
【請求項３】
前記局側インタフェース機能手段は、前記集線手段が割り当てた自身の帯域と、前記配下の光回線加入者側装置から受信した、前記配下の前記光回線加入者側装置が送信を要求するデータ量の蓄積送信データ量と、前記配下の光回線加入者側装置毎に予め設定された前記高優先データの帯域に基づいて、前記配下の光回線加入者側装置の帯域の割り当てを行うことを特徴とする請求項１または請求項２記載の通信装置。
【請求項４】
前記局側インタフェース機能手段は、配下の前記光回線加入者側装置から受信した、前記配下の光回線加入者側装置が送信を要求するデータ量の蓄積送信データ量と、予め設定された前記配下の光回線加入者側装置毎の前記高優先データの帯域を、前記集線手段に送信し、
該集線手段は、局側への出力帯域と、前記局側インタフェース機能手段から受信した前記蓄積送信データ量と前記高優先データの帯域に基づいて、前記局側インタフェース機能手段毎の帯域の割り当てをおこなうことを特徴とする請求項１〜３のいずれかに記載の通信装置。
【請求項５】
前記局側インタフェース機能手段は、前記集線手段が割り当てた自身の帯域と、前記配下の前記光回線加入者側装置から受信した、前記配下の光回線加入者側装置が送信を要求するデータ量の蓄積送信データ量と、前記配下の光回線加入者装置がセッションを開始する制御フレームの情報から取得した前記高優先データの帯域に基づいて、前記光回線加入者側装置毎の帯域の割り当てを行うことを特徴とする請求項１または請求項２に記載の通信装置。
【請求項６】
前記局側インタフェース機能手段は、前記配下の光回線加入者側装置から受信した、前記配下の光回線加入者側装置が送信を要求するデータ量の蓄積送信データ量と、前記配下の光回線加入者装置がセッションを開始する制御フレームの情報から取得した前記高優先データの帯域を、前記集線手段に送信し、
該集線手段は、局側への出力帯域と、前記局側インタフェース機能手段から受信した前記蓄積送信データ量と前記高優先データの帯域に基づいて、前記局側インタフェース機能手段毎の帯域の割り当てをおこなうことを特徴とする請求項１または請求項２または請求項５に記載の通信装置。
【請求項７】
複数の光回線加入者側装置との回線を終端する局側インタフェース機能手段と、複数の前記局側インタフェース機能手段が接続された１つの集線手段とを備えた通信装置による通信方法において、
前記集線手段が、前記局側インタフェース機能手段の帯域の割り当てを、第１の帯域更新周期で行う第１の帯域制御ステップ、
前記局側インタフェース機能手段が、配下の前記光回線加入者側装置の帯域の割り当てを、前記光回線加入者側装置から遅延なく送信する必要のある高優先データが低遅延で送信できる第２の帯域更新周期で行う第２の帯域制御ステップ、
を備えたことを特徴とする通信装置の通信方法。
【発明の詳細な説明】
【技術分野】
【０００１】
本発明は、ＰＯＮ（Passive Optical Network：受動的光ネットワーク）と呼ばれる方式の通信システムの通信装置と通信方法に関するものである。
【背景技術】
【０００２】
従来、ブロードバンドアクセス網を構成する一つの手段としてＰＯＮと呼ばれる方式がある。
このＰＯＮの通信システム（ＰＯＮシステム）では、光回線によるネットワークで、局側に光回線局側終端装置（以下、ＯＬＴ：Optical Line Terminalと示す）が配置され、加入者側には加入者装置を一括して管理する光回線加入者側装置（以下、ＯＮＵ：Optical Network Unitと示す）が配置されている。
そして、上り方向と下り方向では波長が異なり、下り方向は、データを放送形式で送信して、ＯＮＵの識別子であるＬＬＩＤ（Logical Link IDentifier）により振り分けるが、上り方向は、ＭＰＣＰ（Multi-Point Control Protocol）と呼ばれるアクセス制御により時分割多重することで上り帯域を制御する（非特許文献１参照）。
【０００３】
ＰＯＮシステムにおける通常のＯＬＴには、ＯＮＵからの光回線を終端し局側のインタフェース機能を有するＰＯＮインタフェースカードを複数搭載している。
そして、ＰＯＮインタフェースカードの上位（局側）に、ＰＯＮインタフェースカードからのデータを集線するレイヤ２スイッチ（以下、Ｌ２ＳＷと示す）を備える構成をとることが多い。このＬ２ＳＷは、ＯＬＴに内蔵されている場合もあるが、ＯＬＴの上位に配置されている場合もある。
【０００４】
そして、Ｌ２ＳＷは、アップリンク（Ｕｐｌｉｎｋ）への出力帯域（回線速度）を超えないように、各ＰＯＮインタフェースカードから送信されるデータの帯域を制御（帯域制御）している。
また、各ＰＯＮインタフェースカードは、接続されている配下のＯＮＵからデータの送信を要求されている送信データ量と送信開始時間を管理（配下のＯＮＵの帯域を制御）している。
【０００５】
ところが、ＰＯＮインタフェースカードによるＯＮＵの帯域の制御と、Ｌ２ＳＷによるアップリンクへデータを送信する帯域の制御とは、独立して行われることが一般的である。
そのため、アップリンクへの出力帯域、即ち通信容量とは無関係に、配下のＯＮＵから各ＰＯＮインタフェースカードにデータが送信され、各ＰＯＮインタフェースカードからＬ２ＳＷにデータが転送される。そのため、Ｌ２ＳＷに転送されたデータがアップリンクへの通信容量を超えると、各ＯＮＵからＬ２ＳＷまで送信されたデータの一部が破棄されていた。
【０００６】
このような非効率を改善するために、Ｌ２ＳＷの上位に複数のＯＮＵを一括して管理する管理部を設けることで、アップリンクへの出力帯域を超えないように、複数のＯＮＵの帯域を割り当てて制御する通信装置と局側装置が提案されていた（特許文献１）。
【０００７】
【非特許文献１】ＩＥＥＥ  Ｓｔｄ  ８０２．３ａｈ−２００４
【特許文献２】特開２０１１−１８８１９９号公報
【発明の概要】
【発明が解決しようとする課題】
【０００８】
しかし、従来のように、Ｌ２ＳＷの上位に１つの管理部で、複数のＯＮＵを一括して管理して、各ＯＮＵの帯域を割り当てる場合、例えばＶｏＩＰのような高優先で送信する必要のある高優先データを送信するためには、上位の管理部が各ＯＮＵの帯域の割り当てを行う周期を短くして（例えば、０．５ｍｓや１ｍｓの周期にして）、ＶｏＩＰのデータに割り当てる帯域の頻度を多くする必要がる。そのため、ＯＮＵの数が数百〜数千台となる場合には、処理が間に合わずに、データの送信に遅延が生じて、ＶｏＩＰの品質が低下するという問題があった。
【課題を解決するための手段】
【０００９】
この発明に係る通信装置は、複数の光回線加入者側装置との回線を終端する局側インタフェース機能手段と、複数の前記局側インタフェース機能手段が接続された１つの集線手段とを備え、前記集線手段は、前記局側インタフェース機能手段の帯域の割り当てを、第１の帯域更新周期で行い、前記局側インタフェース機能手段は、配下の前記光回線加入者側装置の帯域の割り当てを、前記光回線加入者側装置から遅延なく送信する必要のある高優先データが低遅延で送信できる第２の帯域更新周期で行うことを特徴とする。
【００１０】
また、この発明に係る通信装置の通信方法は、複数の光回線加入者側装置との回線を終端する局側インタフェース機能手段と、複数の前記局側インタフェース機能手段が接続された１つの集線手段とを備えた通信装置による通信方法であって、前記集線手段が、前記局側インタフェース機能手段の帯域の割り当てを、第１の帯域更新周期で行う第１の帯域制御ステップ、前記局側インタフェース機能手段が、配下の前記光回線加入者側装置の帯域の割り当てを、前記光回線加入者側装置から遅延なく送信する必要のある高優先データが低遅延で送信できる第２の帯域更新周期で行う第２の帯域制御ステップ、を備えたことを特徴とする。
【発明の効果】
【００１１】
この発明は、集線手段が、第１の帯域更新周期で局側インタフェース機能手段の帯域の割り当てを行い、局側インタフェース機能手段が、配下の光回線加入者側装置の帯域の割り当てを、高優先データが低遅延で送信できる第２の帯域更新周期で行うので、光回線加入者側装置が数百〜数千台であっても、高優先データを低遅延で送信して、高優先データの通信の品質を向上することができる。
【図面の簡単な説明】
【００１２】
【図１】この発明の実施の形態１における、通信システム１の構成図である。
【図２】この発明の実施の形態１における、ＯＬＴ２の詳細な構成図である。
【図３】この発明の実施の形態１における、ＯＮＵ高優先固定帯域データベース７０４のデータ例である。
【図４】この発明の実施の形態１における、通信システム１のフローチャートである。
【図５】この発明の実施の形態２における、ＯＬＴ２の詳細な構成図である。
【図６】この発明の実施の形態２における、ＯＮＵ高優先データベース７０４ｂのデータ例である。
【発明を実施するための形態】
【００１３】
実施の形態１．
図１は、この発明の実施の形態１における、通信システム１の構成図である。
図１において、通信システム１は、局側に置かれるＯＬＴ２が、スターカプラ３を介して、ＰＯＮ回線で接続される複数のＯＮＵ４を集線している。
そして、ＯＬＴ２は、複数のＰＯＮインタフェースカード５と集線スイッチ（以下、集線ＳＷと示す）６から構成されている。
ＯＬＴ２が通信装置、ＰＯＮインタフェースカード５が局側インタフェース機能手段、集線ＳＷが集線手段に相当する。
【００１４】
ＰＯＮインタフェースカード５は、ＰＯＮ区間の光回線を終端する局側のインタフェース機能をもつカードであり、スターカプラ３を介して複数の配下のＯＮＵ４を集線している。そして、ＰＯＮインタフェースカード５は、上位の（局側の）集線ＳＷ６から割り当てられた自身の帯域に収まるように、配下のＯＮＵ４の帯域を制御する。また、配下のＯＮＵ４から送信されたデータを集線ＳＷ６に転送する。
【００１５】
集線ＳＷ６は、複数のＰＯＮインタフェースカード５を集線し、ＰＯＮインタフェースカード５から送信されたデータをアップリンク（局側）へ転送するレイヤ２スイッチ、または同等のフレーム多重分離機能を有するスイッチである。そして、集線ＳＷ６は、アップリンクへの出力帯域を超えないように、各ＰＯＮインタフェースカード５の帯域を割り当てる。また、各ＰＯＮインタフェースカード５から送信されたデータを多重化してアップリンクに送信する。尚、アップリンクは複数ポート備えても良い。
【００１６】
例えば、ＰＯＮインタフェースカード５−１は、スターカプラ３−１を介して、ＯＮＵ４−１−１〜４−１−ｍと光回線で接続され、集線している。また、ＰＯＮインタフェースカード５−ｎは、スターカプラ３−ｎを介して、ＯＮＵ４−ｎ−１〜４−ｎ−ｍと光回線で接続され、集線している。
そして、ＰＯＮインタフェースカード５−１〜５−ｎは、集線ＳＷ６に集線されている。
【００１７】
図２は、この発明の実施の形態１における、ＯＬＴ２の詳細な構成図である。
また、図２では、アップリンクの帯域の制御（帯域制御）に関わる論理的および物理的な構成を示している。図１と同一符号は同一又は相当部分を示し説明を省略する。
ＰＯＮインタフェースカード５は、配下のＯＮＵ４に対して、動的に帯域を割り当てる動的帯域割当機能（ＤＢＡ：Dynamic Bandwidth Allocation）７を持つ。
また、集線ＳＷ６も、ＤＢＡ７−ｕの機能を持ち、各ＰＯＮインタフェースカード５の帯域を割り当てる。
【００１８】
例えば、ＰＯＮインタフェースカード５−１は、ＤＢＡ７−１を持ち、配下のＯＮＵ４−１−１〜４−１−ｍの帯域を割り当てる。また、ＰＯＮインタフェースカード５−ｎは、ＤＢＡ７−ｎを持ち、配下のＯＮＵ４−ｎ−１〜４−ｎ−ｍの帯域を割り当てる。
そして、例えばＤＢＡ７−ｎは、配下のＯＮＵ４−ｎ−１〜４−ｎ−ｍに対して、ＭＰＣＰの制御フレーム８−ｎを送受信し、ＭＰＣＰ制御を行う。また、上位のＤＢＡ７−ｕと制御フレーム８−ｕを送受信し、上位のＤＢＡ７−ｕからの帯域制御を終端する制御ブロックである。ここでは、帯域制御を、制御フレーム８を使用したメッセージで行うとして説明するが、物理的に直接制御信号を送受信して行っても良い。
【００１９】
ＤＢＡ７−ｎは、配下の各ＯＮＵ４−ｎ−１〜４−ｎ−ｍに蓄積されている、上り方向に送信を要求するデータ（蓄積送信データ）のデータ量（蓄積送信データ量）を、制御フレーム８−ｎで、配下の各ＯＮＵ４−ｎ−１〜４−ｎ−ｍから受信する。そして、配下の各ＯＮＵ４−ｎ−１〜４−ｎ−ｍの蓄積送信データ量から、例えば、ＶｏＩｐのような遅延なく送信する必要のあるデータ（高優先データ）のデータ量を差し引いて、各ＯＮＵ４−ｎ−１〜４−ｎ−ｍの蓄積送信データ量とする。
高優先データのデータ量を差し引くのは、ＤＢＡ７−ｎが、配下のＯＮＵ４に対して、高優先データの帯域をローカルに割り当てるためである。
【００２０】
そして、ＤＢＡ７−ｎは、集線ＳＷ６のＤＢＡ７−ｕが各ＰＯＮインタフェースカード５に割り当てる帯域を更新する帯域更新周期（ＤＢＡ７−ｕの帯域更新周期）で、集線ＳＷ６のＤＢＡ７−ｕから、制御フレーム８−ｕによってＧＡＴＥメッセージを受信する。
すると、ＤＢＡ７−ｎは、高優先データのデータ量を差し引いた各ＯＮＵ４−ｎ−１〜４−ｎ−ｍの蓄積送信データ量の合計と、各ＯＮＵ４−ｎ−１〜４−ｎ−ｍの高優先データのデータ量の合計を、集線ＳＷ６のＤＢＡ７−ｕに送信する。
【００２１】
そして、ＤＢＡ７−ｎは、ＤＢＡ７−ｕの帯域更新周期で、制御フレーム８−ｕによって、ＤＢＡ７−ｎ（自身）に割り当てられた帯域の情報（帯域制御情報）を集線ＳＷ６のＤＢＡ７−ｕから受信する。すると、自身に割り当てられた帯域制御情報と、配下のＯＮＵ４にローカルに割り当てる高優先データの帯域から、配下のＯＮＵ４毎に帯域を割り当てる。
【００２２】
そして、ＤＢＡ７−ｎは、配下の各ＯＮＵ４に割り当てる帯域を更新する帯域更新周期（ＤＢＡ７−ｎの帯域更新周期）で、配下の各ＯＮＵ４−ｎ−１〜４−ｎ−ｍに割り当てた帯域の情報（帯域制御情報）を、各ＯＮＵ４−ｎ−１〜４−ｎ−ｍに送信する。
【００２３】
この時、配下の各ＯＮＵ４−ｎ−１〜４−ｎ−ｍは、ＤＢＡ７−ｎの帯域更新周期で、制御フレーム８−ｎによって、各ＯＮＵ４−ｎ−１〜４−ｎ−ｍの帯域制御情報をＤＢＡ７−ｎから受信すると、各ＯＮＵ４−ｎ−１〜４−ｎ−ｍの蓄積送信データをＤＢＡ７−ｎに送信する。
そこで、ＤＢＡ７−ｎは、配下の各ＯＮＵ４−ｎ−１〜４−ｎ−ｍから蓄積送信データを受信し、受信した蓄積送信データをそのまま集線ＳＷ６に転送する。
【００２４】
その際、配下の各ＯＮＵ４−ｎ−１〜４−ｎ−ｍから送信されるＶｏＩＰ等の高優先データは、配下の各ＯＮＵ４とＰＯＮインタフェースカード５、およびＰＯＮインタフェースカード５と集線ＳＷ６の間で予め確保した高優先データの帯域によって、集線ＳＷ６へ優先して送信される。そして、遅延してもよいデータは、その後で送信される。
【００２５】
一方、集線ＳＷ６のＤＢＡ７−ｕは、ＤＢＡ７−ｕの帯域更新周期で、制御フレーム８−ｕによって、配下のＯＮＵ４の蓄積送信データ量を各ＰＯＮインタフェースカード５から受信する。すると、アップリンクへの出力帯域を超えないように、ＰＯＮインタフェースカード５毎に帯域を割り当てる。
【００２６】
そして、集線ＳＷ６のＤＢＡ７−ｕは、ＤＢＡ７−ｕの帯域更新周期で、制御フレーム８−ｕによって、各ＰＯＮインタフェースカード５に割り当てた帯域を、各ＰＯＮインタフェースカード５に送信する。
また、集線ＳＷ６のＤＢＡ７−ｕは、各ＰＯＮインタフェースカード５から配下のＯＮＵ４の蓄積送信データが転送されると、多重化してアップリンクに送信する。
【００２７】
次に、ＤＢＡ７の内部の構成について説明する。
ＰＯＮインタフェースカード５のＤＢＡ７は、下位側制御フレーム送受信部７０１、ＤＢＡ処理部７０２、上位側制御フレーム送受信部７０３、ＯＮＵ高優先固定帯域データベース７０４から構成されている。
【００２８】
下位側制御フレーム送受信部７０１は、ＰＯＮインタフェースカード５の配下のＯＮＵ４とＭＰＣＰの制御フレーム８を送受信して終端する機能ブロックである。
下位側制御フレーム送受信部７０１は、配下のＯＮＵ４から受信した蓄積送信データ量または蓄積送信データをＤＢＡ処理部７０２に出力する。また、ＤＢＡ処理部７０２から入力された配下のＯＮＵ４毎の帯域制御情報を該当するＯＮＵ４に送信する。
【００２９】
例えば、ＤＢＡ７−ｎの下位側制御フレーム送受信部７０１は、配下のＯＮＵ４−ｎ−１〜４−ｎ−ｍから、それぞれの蓄積送信データ量または蓄積送信データを、ＭＰＣＰの制御フレーム８−１で受信し、受信した制御フレーム８−ｎをＤＢＡ処理部７０２に出力する。また、ＤＢＡ処理部７０２から、制御フレーム８−ｎによって、ＤＢＡ７−ｎの帯域更新周期で、ＯＮＵ４−ｎ−１〜４−ｎ−ｍ毎の帯域制御情報が入力される。そして、入力されたＯＮＵ４−ｎ−１〜４−ｎ−ｍ毎の帯域制御情報を、該当するＯＮＵ４−ｎ−１〜４−ｎ−ｍに送信する。
【００３０】
ＤＢＡ処理部７０２は、下位側制御フレーム送受信部７０１から入力された、制御フレーム８−ｎのＲＥＰＯＲＴメッセージを一部書き換えて（配下のＯＮＵ４の蓄積送信データ量を書き換えて）、その書き換えたＲＥＰＯＲＴメッセージを、制御フレーム８−ｎで、上位側制御フレーム送受信部７０３に出力する。
蓄積送信データ量の書き換えについての詳細は、後述する。
【００３１】
また、ＤＢＡ処理部７０２は、上位側制御フレーム送受信部７０３から入力された制御フレーム８−ｕのＧＡＴＥメッセージを一部書き換えて（自身への帯域制御情報を、配下のＯＮＵ４毎の帯域制御情報に書き換えて）、書き換えたＧＡＴＥメッセージを、制御フレーム８−ｕで、該当するＯＮＵ４宛てに下位側制御フレーム送受信部７０１に出力する。
ＯＮＵ４毎の帯域制御情報に書き換える詳細については、後述する。
【００３２】
上位側制御フレーム送受信部７０３は、上位の集線ＳＷ６のＤＢＡ７−ｕと制御フレーム８−ｕの送受信を行い、ＤＢＡ７−ｕからの帯域制御を終端する機能ブロックである。
上位側制御フレーム送受信部７０３は、集線ＳＷ６から制御フレーム８−ｕを受信し、受信した制御フレーム８−ｕをＤＢＡ処理部７０２に出力する。また、ＤＢＡ処理部７０２から入力された配下のＯＮＵ４の蓄積送信データを、制御フレーム８−ｕで集線ＳＷ６に送信する。
【００３３】
ＯＮＵ高優先固定帯域データベース７０４は、ＤＢＡ処理部７０２が参照するテーブルである。例えば、ＯＮＵ４の識別子であるＬＬＩＤ（Logical Link IDentifier）毎に、ＶｏＩＰの契約した帯域（仮に１チャンネルを１００ｋｂｐｓとしている）を記憶しているデータベースであり、外部より予め設定されるテーブルを持つ。
【００３４】
図３は、この発明の実施の形態１における、ＯＮＵ高優先固定帯域データベース７０４のデータ例である。
図２に示したＯＮＵ４−１−１のＬＬＩＤはＬＬＩＤ＃１−１、ＯＮＵ４−１−ｍのＬＬＩＤはＬＬＩＤ＃１−ｍ、ＯＮＵ４−ｎ−１のＬＬＩＤはＬＬＩＤ＃ｎ−１、ＯＮＵ４−ｎ−ｍのＬＬＩＤはＬＬＩＤ＃ｎ−ｍであるとする。
【００３５】
その時、図３に示す様に、ＬＬＩＤ＃１−１は、ＶｏＩＰ契約が１ｃｈであり、ＶｏＩＰの契約した高優先固定帯域が１００ｋｂｐｓである。
また、ＬＬＩＤ＃１−ｍも、ＶｏＩＰ契約が１ｃｈであり、ＶｏＩＰの契約した高優先固定帯域が１００ｋｂｐｓである。
また、ＬＬＩＤ＃ｎ−１は、ＶｏＩＰ契約が２ｃｈであり、ＶｏＩＰの契約した高優先固定帯域が２００ｋｂｐｓである。
また、ＬＬＩＤ＃ｎ−ｍは、ＶｏＩＰ契約がなく、ＶｏＩＰの契約した高優先固定帯域は０ｋｂｐｓである。
【００３６】
次に、通信システム１の動作について説明する。
図４は、この発明の実施の形態２における、通信システム１の処理の流れを示すフローチャートである。
尚、ここでは、図２に示したＰＯＮインタフェースカードが２枚だけ、ＰＯＮインタフェースカード５−１とＰＯＮインタフェースカード５−ｎのみであり、それぞれのＰＯＮインタフェースカード５の配下のＯＮＵ４は、図３に示したＶｏＩＰ契約がされているとする。
【００３７】
ＯＮＵ４−１−１〜ＯＮＵ４−１−ｍは、ＰＯＮインタフェースカード５−１によりＤｉｓｃｏｖｅｒｙにてＰＯＮリンクが確立された状態、ＯＮＵ４−ｎ−１〜ＯＮＵ４−ｎ−ｍとＰＯＮインタフェースカード５−ｎもＰＯＮリンクが確立された状態であるとする。
【００３８】
その時、ＯＮＵ４−１−１〜ＯＮＵ４−ｎ−ｍにおいて、蓄積送信データがあった場合、例えばＯＮＵ４−１−１〜ＯＮＵ４−１−ｍのそれぞれから、ＰＯＮインタフェースカード５−１のＤＢＡ７−１に対して、通常のＭＰＣＰ制御の制御フレーム８−１によってＲＥＰＯＲＴメッセージが送信され、蓄積送信データ量が通知される（Ｓ１）。
【００３９】
ＤＢＡ７−１の内部では、ＤＢＡ７−１の下位側制御フレーム送受信部７０１が、ＯＮＵ４−１−１〜ＯＮＵ４−１−ｍのそれぞれから、ＲＥＰＯＲＴメッセージにより蓄積送信データ量を受信し、受信したＯＮＵ４−１−１〜ＯＮＵ４−１−ｍの蓄積送信データ量を含むＲＥＰＯＲＴメッセージをＤＢＡ処理部７０２に出力する。
【００４０】
また、同様に、ＰＯＮインタフェースカード５−ｎのＤＢＡ７−ｎは、配下のＯＮＵ４−ｎ−１〜４−ｎ−ｍのそれぞれから、制御フレーム８−ｎのＲＥＰＯＲＴメッセージが送信され、蓄積送信データ量が通知される。
即ち、各ＯＮＵ４から、ＯＮＵ４のＬＬＩＤ毎に蓄積送信データ量が、各ＰＯＮインタフェース５に通知される。
【００４１】
次に、ＰＯＮインタフェース５−１のＤＢＡ７−１は、集線ＳＷ６のＤＢＡ７−ｕから、ＤＢＡ７−ｕの帯域更新周期でＧＡＴＥメッセージを受信すると、配下のＯＮＵ４から送信されたＲＥＰＯＲＴメッセージの一部を書き換えて（ＬＬＩＤ＃１−１〜＃１−ｍ毎の蓄積送信データ量を書き換えて）、書き換えたＲＥＰＯＲＴメッセージを制御フレーム８−ｕで、集線ＳＷ６のＤＢＡ７−ｕに送信する（Ｓ２）。
【００４２】
ＤＢＡ７−１の内部では、ＤＢＡ７−１の上位側制御フレーム送受信部７０３が、集線ＳＷ６のＤＢＡ７−ｕから、ＤＢＡ７−ｕの帯域更新周期で、ＧＡＴＥメッセージの制御フレーム８−ｕを受信すると、受信した制御フレーム８−ｕをＤＢＡ処理部７０２に出力する。
【００４３】
そして、ＤＢＡ処理部７０２は、上位側制御フレーム送受信部７０３から、ＧＡＴＥメッセージの制御フレーム８−ｕを受信すると、下位側制御フレーム送受信部７０１から入力された、ＯＮＵ４−１−１〜ＯＮＵ４−１−ｍの蓄積送信データ量を含むＲＥＰＯＲＴメッセージの一部を書き換えて、書き換えたＲＥＰＯＲＴメッセージを上位側制御フレーム送受信部７０３に出力する。そして、上位側制御フレーム送受信部７０３が、書き換えられたＲＥＰＯＲＴメッセージを、制御フレーム８−ｕで、集線ＳＷ６のＤＢＡ７−−ｕに送信する。
【００４４】
また、同様に、ＰＯＮインタフェース５−ｎのＤＢＡ７−ｎは、集線ＳＷ６のＤＢＡ７−ｕから、ＤＢＡ７−ｕの帯域更新周期でＧＡＴＥメッセージを受信すると、配下のＯＮＵ４から送信されたＲＥＰＯＲＴメッセージの一部を書き換えて（ＬＬＩＤ＃ｎ−１〜＃ｎ−ｍ毎の蓄積送信データ量を書き換えて）、書き換えたＲＥＰＯＲＴメッセージを制御フレーム８−ｕで、集線ＳＷ６のＤＢＡ７−ｕに送信する。
【００４５】
ここで、ＲＥＰＯＲＴメッセージの一部、配下のＯＮＵ４毎の蓄積送信データ量の書き換えについて詳細に説明する。
図３のＯＮＵ高優先固定帯域データベースの情報より、ＬＬＩＤ＃１−１のＶｏＩＰ契約は１ｃｈで１００ｋｂｐｓである。そこで、ＰＯＮインタフェースカード５−１のＤＢＡ７−１は、ＯＮＵ４−１−１のＬＬＩＤ＃１−１に対して、１００ｋｂｐｓの帯域分をローカルに割り当てる。
【００４６】
即ち、ＤＢＡ７−１が、ＯＮＵ４−１−１のＬＬＩＤ＃１−１に対して帯域を割り当てる時、１００ｋｂｐｓの帯域分を常に確保する。そのため、ＯＮＵ４−１−１から送信された、ＲＥＰＯＲＴメッセージで示されるＬＬＩＤ＃１−１の蓄積送信データ量から、ローカルに割り当てる１００ｋｂｐｓ分を差し引いたＬＬＩＤ＃１−１の蓄積送信データ量を、集線ＳＷ６に通知するＬＬＩＤ＃１−１の蓄積送信データ量とする。
【００４７】
また、ＬＬＩＤ＃１−ｍのＶｏＩＰ契約が１ｃｈで１００ｋｂｐｓである。そこで、ＰＯＮインタフェースカード５−１のＤＢＡ７−１は、ＯＮＵ４−１−ｍのＬＬＩＤ＃１−ｍに対して、１００ｋｂｐｓの帯域分をローカルに割り当てる。そのため、ＯＮＵ４−１−ｍから送信されたＲＥＰＯＲＴメッセージで示されるＬＬＩＤ＃１−ｍの蓄積送信データ量から、ローカルに割り当てる１００ｋｂｐｓ分を差し引いて、ＬＬＩＤ＃１−ｍの蓄積送信データ量とする。
【００４８】
従って、ＤＢＡ７−１は、ＯＮＵ４−１−１〜４−１−ｍから送信された、制御フレーム８−１によるＲＥＰＯＲＴメッセージの蓄積送信データ量の合計から、ローカルに帯域を割り当てる２００ｋｂｐs分を差し引いたデータ量を、ＯＮＵ４−１−１〜４−１−ｍの蓄積送信データ量として書き換える。そして、書き換えた配下の４−１−１〜４−１−ｍの蓄積送信データ量を、配下のＯＮＵのＶｏＩＰ契約の帯域の合計値と共に、制御フレーム８−ｕのＲＥＰＯＲＴメッセージで、集線ＳＷ６のＤＢＡ７−ｕに送信する。
【００４９】
また、ＬＬＩＤ＃ｎ−１のＶｏＩＰ契約は２００ｋｂｐｓである。そこで、ＰＯＮインタフェースカード５−ｎのＤＢＡ７−ｎは、ＯＮＵ４−ｎ−１のＬＬＩＤ＃ｎ−１に対して、２００ｋｂｐｓの帯域分をローカルに割り当てる。そのため、ＯＮＵ４−ｎ−１から送信されたＲＥＰＯＲＴメッセージで示されるＬＬＩＤ＃ｎ−１の蓄積送信データ量から、ローカルに割り当てる２００ｋｂｐｓを差し引いて、ＬＬＩＤ＃ｎ−１の蓄積送信データとする。
【００５０】
また、ＬＬＩＤ＃ｎ−ｍのＶｏＩＰ契約はなしである。そこで、ＰＯＮインタフェースカード５−ｎのＤＢＡ７−ｎは、ＯＮＵ４−ｎ−ｍのＬＬＩＤ＃ｎ−ｍに対してローカルに割り当てる帯域はない。そのためＯＮＵ４−ｎ−ｍから送信されたＲＥＰＯＲＴメッセージで示されるＬＬＩＤ＃ｎ−ｍの蓄積送信データから何も差し引かずに、ＬＬＩＤ＃ｎ−ｍの蓄積送信データとする。
【００５１】
従って、ＤＢＡ７−ｎは、ＯＮＵ４−ｎ−ｍ〜４−ｎ−ｍから送信された、制御フレーム８−ｎによるＲＥＰＯＲＴメッセージで示される蓄積送信データ量の合計から、ローカルに帯域を割り当てる２００ｋｂｐｓ分を差し引いたデータ量を、ＯＮＵ４−ｎ−ｍ〜４−ｎ−ｍの蓄積送信データ量として書き換える。そして、書き換えた配下のＯＮＵ４−ｎ−ｍ〜４−ｎ−ｍの蓄積送信データ量を、配下のＯＮＵ４のＶｏＩＰ契約の合計値と共に、制御フレーム８−ｕのＲＥＰＯＲＴメッセージで、集線ＳＷ６のＤＢＡ７−ｕに送信する。
尚、ローカルに帯域を割り当てる帯域分を差し引くとマイナスになる場合は、差し引かないこととする。
以上が、蓄積送信データ量の一部の書き換えについての詳細な説明である。
【００５２】
図４のフローに戻り、集線ＳＷ６のＤＢＡ７−ｕは、各ＰＯＮインタフェースカード５から蓄積送信データ量とＶｏＩＰ契約の合計値（高優先合計値）を受信すると、アップリンクへの出力帯域から配下の全ＯＮＵ４の高優先合計値を差し引いた値を、ＰＯＮインタフェースカード５全体に許可する送信データ量とする。そして、ＰＯＮインタフェースカード５全体に許可する送信データ量と、各ＰＯＮインタフェースカード５から送信された蓄積送信データ量に従って、各ＰＯＮインタフェースカード５に対する帯域の割り当てを行う（Ｓ３）。
【００５３】
ここで、ＤＢＡ７−ｕが、アップリンクへの出力帯域から配下の全ＯＮＵ４の高優先合計値を差し引くことにより、集線ＳＷ６と各ＰＯＮインタフェースカード５との間で、差し引いた帯域分が高優先データの送信用に確保される。
【００５４】
この時、集線ＳＷ６のＤＢＡ７−ｕは、アップリンクが例えば１Ｇｂｐｓであった場合、１Ｇｂｐｓから配下の全ＯＮＵ４のＶｏＩＰ契約の合計値を引いた値を、ＰＯＮインタフェースカード５全体に許可する送信データ量とする。
ＤＢＡ７−１の配下の全ＯＮＵ４のＶｏＩＰ契約の合計値は２００ｋｂｐｓ、ＤＢＡ７−ｎの配下の全ＯＮＵ４のＶｏＩＰ契約の合計値も２００ｋｂｐｓである。そのため、配下の全ＯＮＵ４のＶｏＩＰ契約の合計値は４００ｋｂｐｓとなる。
【００５５】
従って、ＤＢＡ７−ｕは、１Ｇｂｐｓから４００ｋｂｐｓを差し引いた値を、ＰＯＮインタフェースカード５全体に許可する送信データ量とする。そこで、ＤＢＡ７−ｕは、１Ｇｂｐｓから４００ｋｂｐｓを差し引いた値と、各ＰＯＮインタフェースカード５から送信された蓄積送信データ量に従って、各ＰＯＮインタフェースカード５に対する帯域の割り当てを行う。
【００５６】
そして集線ＳＷ６のＤＢＡ７−ｕは、各ＰＯＮインタフェースカード５に割り当てた帯域の帯域制御情報を、ＤＢＡ７−ｕが各ＰＯＮインタフェースカード５の帯域を更新する帯域更新周期で、制御フレーム８−ｕのＧＡＴＥメッセージにより、それぞれＰＯＮインタフェース５のＤＢＡ７−１とＤＢＡ７−ｎに送信する（Ｓ４）。
集線ＳＷ６による各ＰＯＮインタフェース５の帯域制御が、第１の帯域制御ステップに相当する。
【００５７】
尚、集線ＳＷ６のＤＢＡ７−ｕの帯域更新周期は、各ＰＯＮインタフェースカード５の配下のＯＮＵ４に対する帯域更新周期よりも長くする。
そして、各ＰＯＮインタフェースカード５の配下の各ＯＮＵ４に対する帯域更新周期は、配下のＯＮＵ４から高優先データを低遅延で送信させることができる短い周期（例えば、０．５ｍｓや１ｍｓの周期）にする。そうすることで、各ＰＯＮインタフェースカード５は、短い帯域更新周期で、ＯＮＵ４から高優先データの出力許可を行うので、高優先データに割り当てる帯域の頻度を多くすることができる。また、高優先データの帯域分を常に確保して、高優先データを優先して送信することができる。そのため、ＶｏＩＰのような高優先データを低遅延で送信することができる。
【００５８】
ＰＯＮインタフェースカード５は、ＶｏＩＰ等の高優先データの帯域分を常に確保して、配下のＯＮＵ４に対して帯域を割り当て、集線ＳＷ６は、アップリンクの出力帯域から全ＯＮＵ４のＶｏＩＰの契約の帯域分を確保して、各ＰＯＮインタフェースカード５の帯域を割り当てる。このように、それぞれの間で帯域の割り当てを行うので、集線ＳＷ６の各ＰＯＮインタフェースカード５に対する帯域更新周期は、各ＰＯＮインタフェースカード５の配下のＯＮＵ４に対する帯域更新周期よりも長くすることができる。
【００５９】
そのため、集線ＳＷ６におけるＤＢＡ７−ｕの処理速度を低減しても、より多くのＯＮＵ４の帯域を制御することができる。このように、ＤＢＡ７−ｕの処理速度を低減できるため、集線ＳＷ６は、動作周波数が低いＣＰＵで動作させることができ、低コスト化を図ることができる。
【００６０】
また、ＤＢＡ７−ｕがアップリンクへの出力帯域を超えないように、ＰＯＮインタフェースカード５の帯域を制御し、ＰＯＮインタフェースカード５が配下のＯＮＵ４の帯域を制御するので、ＯＮＵ４から破棄されるデータを送信することを防ぎ、低消費電力化を図れる。また、ＯＬＴ２内のバッファ容量を削減することができる。
【００６１】
図４のフローに戻り、ＰＯＮインタフェースカード５のＤＢＡ７−１またはＤＢＡ７−ｎは、ＤＢＡ７−ｕから自身に対する帯域制御情報を受信すると、配下の各ＯＮＵ４の蓄積送信データ量に応じて、ＯＮＵ４毎に帯域を割り当てる。そして、ＯＮＵ４毎に割り当てた帯域に、ローカルに割り当てる帯域（配下のＯＮＵ４毎（ＬＬＩＤ毎）のＶｏＩＰ帯域）を加算して、最終的にＯＮＵ４毎に割り当てる帯域を算出する（Ｓ５）。
【００６２】
ＤＢＡ７−１の内部では、上位側制御フレーム送受信部７０３が、Ｓ４で集線ＳＷ６のＤＢＡ７−ｕの帯域更新周期で、制御フレーム８−ｕにより、ＤＢＡ７−ｕからＧＡＴＥメッセージを受信する。すると、上位側制御フレーム送受信部７０３は、受信したＧＡＴＥメッセージをＤＢＡ処理部７０２に出力する。
そしてＤＢＡ処理部７０２は、Ｓ５で示したように、自身に対して割り当てられた帯域と、配下のＯＮＵ４毎の蓄積送信データ量と、ＯＮＵ４毎の高優先データの帯域に基づいて、最終的にＯＮＵ４毎に割り当てる帯域を算出する。
【００６３】
図４のフローに戻り、ＰＯＮインタフェースカード５のＤＢＡ７−１またはＤＢＡ７−ｎは、Ｓ４で集線ＳＷ６のＤＢＡ７−ｕから送信されたＧＡＴＥメッセージの各ＰＯＮインタフェースカード５の帯域制御情報を、Ｓ５で算出した配下のＯＮＵ毎に割り当てた帯域の帯域制御情報に書き換える。そして配下のＯＮＵ毎の帯域制御情報に書き換えたＧＡＴＥメッセージを、各ＰＯＮインタフェースカード５が配下の各ＯＮＵに対する帯域更新周期で、配下のＯＮＵ４−１−１〜ＯＮＵ４−ｎ−ｍに送信する（Ｓ６）。
ＰＯＮインタフェースカード５による各ＯＮＵ４の帯域制御が、第２の帯域制御ステップに相当する。
【００６４】
ＤＢＡ７−１の内部では、ＤＢＡ７−１またはＤＢＡ７−ｎのＤＢＡ処理部７０２が、配下の各ＯＮＵ４に対して割り当てた帯域制御情報を含むＧＡＴＥメッセージを、ＤＢＡ７−１またはＤＢＡ７−ｎの帯域更新周期で、下位側制御フレーム送受信部７０１に出力する。そして、下位側制御フレーム送受信部７０１が、制御フレーム８−１または制御フレーム８−ｎによって、配下のＯＮＵ４毎に割り当てた帯域制御情報を含むＧＡＴＥメッセージを、ＤＢＡ７−１またはＤＢＡ７−ｎの帯域更新周期で、配下のＯＮＵ４−１−１〜ＯＮＵ４−ｎ−ｍに送信する。
【００６５】
前述したように、ＤＢＡ７−１またはＤＢＡ７−ｎの配下の各ＯＮＵ４に対する帯域更新周期は、配下のＯＮＵ４から高優先データを低遅延で送信できる短い周期（例えば、０．５ｍｓや１ｍｓの周期）にする。
【００６６】
例えば、ＤＢＡ７−ｕの各ＰＯＮインタフェースカード５に対する帯域更新周期が５ｍｓで、ＤＢＡ７−ｎの配下の各ＯＮＵ４に対する帯域更新周期が１ｍｓとした場合、ＰＯＮインタフェースカード５−ｎのＤＢＡ７−ｎに許可された送信データ量が、帯域割り当てに関して等分されて、ＰＯＮインタフェースカード５全体に許可された送信データ量の１／５であったとする。
【００６７】
すると、ＤＢＡ７−ｎは、例えば、配下のＯＮＵ４−ｎ−１に対して、ＰＯＮインタフェースカード５全体に許可された送信データ量の１／５に、ローカルに帯域を割り当てるＶｏＩＰ契約の帯域である２００ｋｂｐｓを加算して、ＯＮＵ４−ｎ−１に割り当てる帯域とする。そして割り当てた帯域（帯域制御情報：出力送信データ量と出力開始時刻）をＧＡＴＥメッセージにして、ＤＢＡ７−ｎの帯域更新周期である１ｍｓ毎に、ＯＮＵ４−ｎ−１に送信する。
【００６８】
この様に、ＰＯＮインタフェースカード５から配下の各ＯＮＵ４に対して、各ＯＮＵ４に割り当てた帯域を、ＶｏＩＰ等の高優先データを低遅延でＯＮＵ４から送信できる短い帯域更新周期で、配下の各ＯＮＵ４に送信する。そのため、配下の各ＯＮＵ４からＰＯＮインタフェースカード５には、短い帯域更新周期で、高優先データが送信される。そして、ＰＯＮインタフェースカード５は、受信した高優先データを、そのまま集線ＳＷ６に転送するので、集線ＳＷ６の帯域更新周期がＰＯＮインタフェースカード５の帯域更新周期より長くても、高優先データを低遅延で送信することができる。
【００６９】
図４のフローに戻り、各ＯＮＵ４は、ＰＯＮインタフェースカード５から、ＧＡＴＥメッセージで各ＯＮＵ４の帯域制御情報が送信されと、ＲＥＰＯＲＴメッセージで送信要求を、ＰＯＮインタフェースカード５に送信する（Ｓ７）。そして、各ＯＮＵ４の帯域制御情報に従って、蓄積送信データを、ＰＯＮインタフェースカード５に送信する（Ｓ８）。
そして、ＰＯＮインタフェースカード５は、各ＯＮＵ４からデータを受信すると、そのまま集線ＳＷ６に転送する（Ｓ９）。
【００７０】
各ＰＯＮインタフェースカード５がＯＮＵ４から受信したデータを集線ＳＷ６へ転送する時は、Ｓ３で示したように、ＶｏＩＰ契約の帯域を確保しているため、高優先データは優先して送信される。そのため、高優先データを低遅延でアップリンクに送信することができる。
このように、ＯＮＵ４からＰＯＮインタフェースカード５、ＰＯＮインタフェースカード５から集線ＳＷ６の間で行われる高優先データの送信は、予め確保されている高優先データの帯域で、優先して送信される。そのため、高優先データを遅延なく送信することができるので、高優先データのデータ通信の品質を向上することができる。
【００７１】
尚、ここではＶｏＩＰを例に説明したが、高優先データは、ＴＶ会議のデータまたは動画データであってもよく、ＴＶ会議のデータまたは動画データの帯域をＯＮＵ高優先固定帯域データベースに設定してもよい。
【００７２】
以上の様に、ＰＯＮインタフェースカード５は、ＶｏＩＰ等の高優先データの帯域分を常に確保して、配下のＯＮＵ４の帯域を割り当て、集線ＳＷ６は、アップリンクの出力帯域から全ＯＮＵ４のＶｏＩＰの契約の帯域を差し引いて、各ＰＯＮインタフェースカード５の帯域を割り当てる。このように、それぞれの間で帯域制御を行うため、ＰＯＮインタフェースカード５は、配下のＯＮＵ４に対する帯域更新周期を、各ＯＮＵ４からの高優先データを低遅延で送信できる短い帯域更新周期にすることができ、高優先データに割り当てる帯域を多くすることができる。また、高優先データの帯域分を常に確保して、高優先データを優先して送信することができる。そのため、ＯＮＵ４が数百〜数千台であっても、各ＯＮＵ４から高優先データを低遅延で送信するので、音声の途切れや動画の乱れをなくして高優先データの通信の品質を向上することができる。
【００７３】
また、それぞれの間で帯域制御を行うため、集線ＳＷ６のＰＯＮインタフェースカード５に対する帯域更新周期を、ＰＯＮインタフェースカード５の配下のＯＮＵ４に対する帯域更新周期より長くしても、高優先データの帯域分を常に確保しているため、高優先データを低遅延で送信するので、高優先データの通信の品質を向上することができる。
【００７４】
また、集線ＳＷ６のＰＯＮインタフェースカード５に対する帯域更新周期を、長くすることができるので、動作周波数が低いＣＰＵで動作させることができ、低コスト化を図ることができる。
【００７５】
また、集線ＳＷ６がアップリンクへの出力帯域を超えないように、ＰＯＮインタフェースカード５の帯域を制御し、ＰＯＮインタフェースカード５が配下のＯＮＵ４の帯域を制御するので、ＯＮＵ４から破棄されるデータを送信することを防ぎ、低消費電力化を図れる。また、ＯＬＴ２内のバッファ容量を削減することができる。
【００７６】
実施の形態２．
以上の実施の形態１では、ＶｏＩＰのデータの送信を、各ＬＬＩＤ単位に契約している帯域で固定に割り当てる方法で示したが、実施の形態２では、高優先クラスであるＶｏＩＰのセッションを開始する制御フレーム（ＳＩＰ（Session Initiation Protocol）フレーム）により、確保する優先の帯域を取得する方法を示す。確保する帯域の取得は、ＰＯＮインタフェースカード５がＳＩＰフレームをスヌープ（snoop）することにより行い、帯域を動的に管理することで、より帯域効率のよい制御が可能となる。
【００７７】
図５は、この発明の実施の形態２における、ＯＬＴ２の詳細な構成図である。
図１と同一符号は同一又は相当部分を示し説明を省略する。
実施の形態１と異なる構成は、ＰＯＮインタフェースカード５にＳＩＰスヌープ処理部７０５が追加され、ＯＮＵ高優先固定帯域データベース７０４がＯＮＵ高優先データベース７０４ｂとなっていることである。
【００７８】
ＳＩＰスヌープ処理部７０５は、ＰＯＮインタフェースカード５のＤＢＡ７の下位側もしくは上位側からのＳＩＰフレームの取得を契機に、ＶｏＩＰの通信の開始を示すＳＩＰフレームの確認応答の情報から、ＯＮＵ４のＶｏＩＰに必要な帯域を取得する。そして、取得したＶｏＩＰの送信に必要な帯域（確保帯域）を、ＯＮＵ高優先データベース７０４ｂに出力することで、ＯＮＵ４の上りのデータ送信の帯域にＶｏＩｐのデータ送信に必要な帯域を確保する。
【００７９】
また、ＳＩＰスヌープ処理部７０５は、取得した各ＯＮＵ４のＶｏＩＰの確保帯域の合計を集線ＳＷ６に通知する。
そして、ＳＩＰフレームの切断成功の情報によって、ＯＮＵ高優先データベース７０４ｂに記憶された各ＯＮＵ４のＬＬＩＤ毎の確保帯域を０ｋｂｐｓに更新して、確保した帯域を解放する。
【００８０】
ＯＮＵ高優先データベース７０４ｂは、ＳＩＰスヌープ処理部７０５から入力、更新されたＶｏＩＰのデータの送信に必要な帯域を各ＯＮＵ４のＬＬＩＤ毎に記憶している。そして、記憶しているＶｏＩＰのデータの送信に必要な帯域が、ＤＢＡ処理部７０２から参照される。
図６は、この発明の実施の形態２における、ＯＮＵ高優先データベース７０４ｂのデータ例である。
図６では、各ＯＮＵ４のＬＬＩＤ毎に、ＶｏＩＰの通信中のチャネル数と、チャネル数に対応する帯域（ＩＦ＃ｎ確保帯域）が記憶されている。チャネル数に対応する帯域が、ＶｏＩＰのデータの送信に必要な帯域である。
【００８１】
動作については、高優先データの帯域を管理するテーブルが図３から図５になり、ＶｏＩＰ契約の固定のチャネル数が、通信中のＶｏＩＰのチャネル数になる。そして、ＳＩＰスヌープ処理部７０５が、ＯＮＵ高優先データベース７０４ｂの通信中のＶｏＩＰのチャネル数を更新する動作が異なる。
【００８２】
また、集線ＳＷ６のＤＢＡ７−ｕで、各ＰＯＮインタフェースカード５の帯域を割り当てる際に必要な、高優先データの帯域の合計値（高優先合計値）は、各ＰＯＮインタフェースカード５のＳＩＰスヌープ処理部７０５において、通話中のセッション数を集線ＳＷ６に通知して、集線ＳＷ６が配下の全ＯＮＵ４のＶｏＩＰのデータ送信に必要な帯域を集計するところが異なる。ＶｏＩＰのデータの送信に必要な帯域は、セッション数×１ｃｈの帯域で算出し、その値を集計する。
【００８３】
尚、高優先合計値は、ＶｏＩＰスヌープ処理部７０５が、ＳＩＰフレームの確認応答の情報から取得した値を合計して集計しても良い。
また、高優先合計値は、集線ＳＷ６が、ＳＩＰフレームから通話中のセッション数を管理することで集計してもよい。
【００８４】
以上のように、通話中の制御フレームまたはデータから、ＶｏＩＰのデータ送信に必要な帯域を取得して、ＰＯＮインタフェースカード５の配下のＯＮＵ４に対する帯域更新周期で、配下の各ＯＮＵ４の帯域からＶｏＩＰのような高優先データの送信に必要な帯域を動的に確保するので、ＯＮＵ４から高優先データの送信を低遅延で動的に制御することができる。
【符号の説明】
【００８５】
１  通信システム、２  ＯＬＴ、３スターカプラ、４  ＯＮＵ、５  ＰＯＮインタフェースカード、６  集線ＳＷ、７  ＤＢＡ、８  制御フレーム、９  制御フレーム、７０１  下位側制御フレーム送受信部、７０２  ＤＢＡ処理部、７０３  上位側制御フレーム送受信部、７０４  ＯＮＵ高優先固定帯域データベース、７０４ｂ  ＯＮＵ高優先データベース、７０５  ＳＩＰスヌープ処理部。
【図１】
2014241478.tif 000003
【図２】
2014241478.tif 000004
【図３】
2014241478.tif 000005
【図４】
2014241478.tif 000006
【図５】
2014241478.tif 000007
【図６】
2014241478.tif 000008